(57)【要約】【課題】アンテナ性能と電磁シールド性能を両立した携帯端末装置を提供する。【解決手段】この帯端末装置１では、電磁シールドケース７は、所定の回路体５を収容する一面開放の第１ケース部７ａと、第１ケース部７ａの前記一面を覆う様に第１ケース部７ａに外嵌合する第２ケース部７ｂとに分割構成され、第１ケース部７ａの外周側面７ｃに凸部７ｄが形成され、第２ケース部７ｂの内周側面７ｅに孔部７ｆが形成され、第２ケース部７ｂが第１ケース部７ａに外嵌合した状態で凸部７ｄが孔部７ｆに嵌合し、第１ケース部７ａと第２ケース部７ｂは、筐体３内で、それらの両側から筐体３により狭圧され、その狭圧により凸部７ｄの外周側面７ｇの一部と孔部７ｆの内周側面７ｓの一部とが圧接され、この圧接により第１ケース部７ａと第２ケース部７ｂの電気的接触が確保される。【選択図】図２
2008010523.tif 000002
【特許請求の範囲】
【請求項１】
筐体内にアンテナ、所定の回路体および前記所定の回路体を収容する電磁シールドケースを備えた携帯端末装置において、
前記電磁シールドケースは、前記所定の回路体を収容する一面開放の第１ケース部と、前記第１ケース部の前記一面を覆う様に前記第１ケース部に外嵌合する第２ケース部とに分割構成され、
前記第１ケース部の外周壁の外周側面に凸部または孔部のうちの一方が形成され、前記第２ケース部の外周壁の内周側面に凸部または孔部のうちの他方が形成され、前記第２ケース部が前記第１ケース部に外嵌合した状態で前記凸部が前記孔部に嵌合し、
前記第１ケース部および前記第２ケース部は、前記筐体内において、それらの両側から前記筐体により狭圧され、その狭圧により前記凸部の外周側面の一部と前記孔部の内周側面の一部とが圧接されることを特徴とする携帯端末装置。
【請求項２】
前記第２ケース部の前記外周壁における前記アンテナに対向する側の外壁部は、前記第２ケース部が前記第１ケース部に外嵌合された状態で、その上端面が、前記第１ケース部の前記外周壁の上端面に対向し、その外側面が、前記第１ケース部の前記外周壁における同側の外壁部の外側面に対して平坦になる様に形成されることを特徴とする請求項１に記載の携帯端末装置。
【請求項３】
アンテナ、所定の回路体および電磁シールドケースを備えた携帯端末装置において、
前記電磁シールドケースは収容凹部を有し、
前記所定の回路体は、回路基板の一方主面上にノイズ放射源となる回路部品が集約されて構成され、
前記回路基板の前記一方主面側だけに、前記回路部品が前記電磁シールドケースの前記収容凹部内に収容される様にして前記電磁シールドケースが配設されたことを特徴とする携帯端末装置。
【請求項４】
前記所定の回路体は、カメラモジュールであることを特徴とする請求項１〜請求項３の何れかに記載の携帯端末装置。
【発明の詳細な説明】
【技術分野】
【０００１】
本発明は、携帯電話機等の携帯端末装置に関し、特に小スペースでアンテナ性能と電磁シールド性能とを両立する技術に関する。
【背景技術】
【０００２】
例えばカメラ付き携帯電話機は、その筐体内に、アンテナとカメラモジュールとを内蔵している。カメラモジュールは、カメラモジュールからのノイズがアンテナに干渉することを防止するため、金属素材により形成された電磁シールドケース内に収容された状態で筐体内に内蔵されている。
【０００３】
従来の電磁シールドケースは、カメラモジュールを収容する上面開放の第１ケース部と、第１ケース部の開放上面を覆う様に第１ケース部に外嵌合する第２ケース部とを備えて構成されている。
【０００４】
第２ケース部の外周壁は、その周方向に亘って部分的に、縦方向に切り込みが形成されて弾性片状に形成されており、その弾性片状部分は、第１ケース部の外周壁の外周側面に強く当接する様に内側に突出状に屈曲されている（特許文献１）。
【０００５】
即ち、第２ケース部が第１ケース部に外嵌合した状態では、第２ケース部の前記弾性片状部分が、内側に突出状に屈曲されていることで、第１ケース部の外周壁の外周側面に強く当接し、この当接により第１ケース部と第２ケース部との電気的接触が確保される様になっている。この様な接点構造を設けて、第１ケース部と第２ケース部との電気的接触を確保することで、電磁シールドケースの電磁シールド性能の安定化が図られている。
【０００６】
また、携帯電話機内の収容スペースは狭いので、アンテナ近傍にカメラモジュール（即ち電磁シールドケース）が配置される場合があった。
【０００７】
【特許文献１】特開２００３−１３３７７７号公報
【発明の開示】
【発明が解決しようとする課題】
【０００８】
上記の接点構造では、第２ケース部の弾性片状部分の屈曲部分の分だけ、第２ケース部の底面寸法を余分に大きくする必要がある。
【０００９】
そしてアンテナ近傍に電磁シールドケースが配置される場合において、その様に第２ケース部の底面寸法を余分に大きくすると、その分、アンテナと電磁シールドケースとの間隔が接近する事になる。
【００１０】
一般にアンテナの近くに金属体があると、アンテナ性能は劣る傾向にあるので、上記の様にアンテナと電磁シールドケースとの間隔が接近すると、アンテナ性能が劣化する場合がある。即ち、小スペースでアンテナ性能と電磁シールド性能とを両立できなくなるという欠点がある。
【００１１】
そこで、この発明の課題は、小スペースでアンテナ性能と電磁シールド性能とを両立できる携帯端末装置を提供することにある。
【課題を解決するための手段】
【００１２】
上記課題を解決する為に、請求項１に記載の発明は、筐体内にアンテナ、所定の回路体および前記所定の回路体を収容する電磁シールドケースを備えた携帯端末装置において、前記電磁シールドケースは、前記所定の回路体を収容する一面開放の第１ケース部と、前記第１ケース部の前記一面を覆う様に前記第１ケース部に外嵌合する第２ケース部とに分割構成され、前記第１ケース部の外周壁の外周側面に凸部または孔部のうちの一方が形成され、前記第２ケース部の外周壁の内周側面に凸部または孔部のうちの他方が形成され、前記第２ケース部が前記第１ケース部に外嵌合した状態で前記凸部が前記孔部に嵌合し、前記第１ケース部および前記第２ケース部は、前記筐体内において、それらの両側から前記筐体により狭圧され、その狭圧により前記凸部の外周側面の一部と前記孔部の内周側面の一部とが圧接されるものである。
【００１３】
請求項３に記載の発明は、アンテナ、所定の回路体および電磁シールドケースを備えた携帯端末装置において、前記電磁シールドケースは収容凹部を有し、前記所定の回路体は、回路基板の一方主面上にノイズ放射源となる回路部品が集約されて構成され、前記回路基板は、前記一方主面側だけに、前記回路部品が前記電磁シールドケースの前記収容凹部内に収容される様にして前記電磁シールドケースが配設され、前記アンテナは、前記回路基板の他方主面側に配置されるものである。
【発明の効果】
【００１４】
請求項１に記載の発明によれば、第１ケース部の外周壁の外周側面に凸部または孔部のうちの一方が形成され、第２ケース部の外周壁の内側面に凸部または孔部のうちの他方が形成され、第２ケース部が第１ケース部に外嵌合した状態で前記凸部が前記孔部に嵌合し、第１ケース部および第２ケース部は、筐体内において、それらの両側から筐体により狭圧され、その狭圧により前記凸部の外周側面の一部と前記孔部の内周側面の一部とが圧接されるので、筐体による狭圧を利用した、前記凸部の外周側面の一部と前記孔部の内周側面の一部との圧接により、第１ケース部と第２ケース部との電気的接触を確保でき、これにより、電磁シールドケースの電磁シールド性能の安定化を図れる。
【００１５】
また、従来の様な屈曲部分を形成しないので、その屈曲部分の幅分、アンテナと電磁シールドケースとの間隔を接近させずに済み、これによりアンテナ性能の劣化を防止できる。よって、小スペースでアンテナ性能と電磁シールド性能とを両立できる。
【００１６】
請求項３に記載の発明によれば、電磁シールドケースは収容凹部を有し、所定の回路体は、回路基板の一方主面上にノイズ放射源となる回路部品が集約されて構成され、前記回路基板は、前記一方主面側だけに、前記回路部品が電磁シールドケースの収容凹部内に収容される様にして電磁シールドケースが配設されるので、即ち、電磁シールドケースを従来の様に分割構成しないので、従来の様な接点構造を設ける必要が無く、電磁シールド性能の安定化が図れる。またアンテナは、前記回路基板の他方主面側に配置されるので、即ち電磁シールドケースから離して配置されるので、アンテナと電磁シールドケースとの間隔をより広くできてアンテナ性能の劣化をより低減できる。よって、小スペースでアンテナ性能と電磁シールド性能とを両立できる。
【発明を実施するための最良の形態】
【００１７】
＜実施の形態１＞
この実施の形態に係る携帯端末装置１は、例えばカメラ付き携帯電話機であり、図１の様に、筐体３（図２参照）内に、アンテナ４と、カメラモジュール５と、カメラモジュール５からのノイズがアンテナ４に干渉することを防止すべくカメラモジュール５を電磁シールドする電磁シールドケース７（図２参照）と、アンテナ共用器９と、受信部１１と、送信部１３と、シンセサイザ１５と、ベースバンド信号処理部１７と、ＬＣＤ１９と、マイク２１と、レシーバ２３と、制御回路２５と、表示キー２７とを内蔵して構成されている。
【００１８】
電磁シールドケース７は、図２の様に、一面（例えば下面）開放の箱状に形成され、その内部にカメラモジュール（所定の回路体）５を収容する金属製の第１ケース部７ａと、一面（例えば上面）開放の箱状に形成され、第１ケース部７ａの開放下面を覆う様に第１ケース部７ａに外嵌合する金属製の第２ケース部７ｂとに分割構成されている。
【００１９】
尚、図２中、ｘは例えば携帯端末装置１の長辺方向、ｙは例えば携帯端末装置１の横幅方向（または厚さ方向）、ｚは例えば携帯端末装置１の厚さ方向（または横幅方向）である。
【００２０】
第１ケース部７ａの外周壁の外周側面７ｃには、その周方向に亘って、凸部７ｄが１つ以上形成されている。また第２ケース部７ｂの外周壁の内周側面７ｅには、その周方向に亘って、孔部７ｆが、第１ケース部７ａの凸部７ｄと対応する様に形成されている。ここでは、凸部７ｄの外周側面７ｇは、凸部７ｄが先細となる様に若干傾斜されている。そして、第２ケース部７ｂが第１ケース部７ａに外嵌合した状態で、第１ケース部７ａの凸部７ｄが、第２ケース部７ｂの孔部７ｆに嵌合する様になっている。
【００２１】
この電磁シールドケース７は、筐体３内において、その両側から筐体３により狭圧されることで、筐体３内におけるアンテナ４の配置場所付近に組み付けられる様になっている。
【００２２】
その際、第１ケース部７ａおよび第２ケース部７ｂは、筐体３内において、それらの両側から筐体３により狭圧され、その狭圧により第１ケース部７ａの凸部７ｄの外周側面７ｇの一部と第２ケース部７ｂの孔部７ｆの内周側面７ｓの一部とが圧接され、その圧接により、第１ケース部７ａと第２ケース部７ｂとの電気的接触が確保される様になっている。
【００２３】
尚、他の構成要素９，１１，１３，１５，１７，１７，２１，２３，２５，２７は、周知技術であり、本願発明に直接関わらないので、その説明は省略する。尚、図２中では、上記の他の構成要素は、作図の都合上図示省略している。
【００２４】
以上の様に構成された携帯端末装置１によれば、第１ケース部７ａの外周壁の外周側面７ｃに凸部７ｄが形成され、第２ケース部７ｂの外周壁の内周側面７ｅに孔部７ｆが形成され、第２ケース部７ｂが第１ケース部７ａに外嵌合した状態で凸部７ｄが孔部７ｆに嵌合し、第１ケース部７ａおよび第２ケース部７ｂは、筐体３内において、それらの両側から筐体３により狭圧され、その狭圧により凸部７ｄの外周側面７ｇの一部と孔部７ｆの内周側面７ｓの一部とが圧接されるので、筐体３による狭圧を利用した、凸部７ｄの外周側面７ｇと孔部７ｆの内周側面７ｓとの圧接により、第１ケース部７ａと第２ケース部７ｂとの電気的接触を確保でき、これにより電磁シールドケース７の電磁シールド性能を安定化できる。
【００２５】
またカメラ付き携帯電話機では、通常、カメラモジュール５（即ち電磁シールドケース７）は、筐体３により狭圧されて筐体３内で安定的に固定されるが、この発明では、その筐体３による狭圧を利用するので、新たに第１ケース部７ａおよび第２ケース部７ｂをそれらの両側から狭圧する手段を追加することなく、第１ケース部７ａと第２ケース部７ｂとの電気的接触を確保できる（即ち電磁シールド性能を確保できる）。
【００２６】
また、従来の様な屈曲部分を形成しないので、その屈曲部分の幅分、アンテナ４と電磁シールドケース７との間隔を接近させずに済み、これによりアンテナ性能の劣化を防止できる。よって、小スペースでアンテナ性能と電磁シールド性能とを両立できる。
【００２７】
尚、この実施の形態では、第１ケース部７ａに凸部７ｄを形成し、第２ケース部７ｂに孔部７ｆを形成したが、第１ケース部７ａに孔部７ｆを形成し、第２ケース部７ｂに凸部７ｄを形成しても良い。
【００２８】
尚、この実施の形態では、カメラモジュール５を電磁シールドケース７内に収容することで、カメラモジュール５からのノイズを遮蔽したが、カメラモジュール５以外の他の回路体からのノイズを遮蔽する場合は、その回路体を電磁シールドケース７内に収容すればよい。
【００２９】
＜実施の形態２＞
この実施の形態２は、図３の様に、上記の実施の形態１において、凸部７ｄの形成場所を、第１ケース部７ａの外周壁の外周側面７ｃのうちのアンテナ４に対向する側の面７ｉ以外の面（例えば面７ｉに隣接する２つの面７ｈ）に限定し、且つこれに伴って、孔部７ｆの形成場所も、第２ケース部７ｂの外周壁の内周側面７ｅのうちのアンテナ４に対向する側の面７ｊ以外の面（例えば面７ｊに隣接する２つの面７ｋ）に限定したものである。
【００３０】
この様に限定することで、図４の様に、第２ケース部７ｂの外周壁におけるアンテナ４に対向する側の外壁部７ｍを、第２ケース部７ｂが第１ケース部７ａに外嵌合された状態で、その上端面７ｎが、第１ケース部７ａの外周壁の上端面７ｐに対向し、その外側面７ｑが、第１ケース部７ａの外周壁における同側の外壁部７ｓの外側面７ｒに対して平坦になる様に形成できる様になる。即ち、第２ケース部７ｂの外周壁におけるアンテナ４側の外壁部７ｍが、アンテナ４側に張り出さない様にできる。
【００３１】
尚、この実施の形態２における上記の説明以外の部分は、上記の実施の形態１の場合と同じなので説明は省略する。
【００３２】
以上の様に構成された携帯端末装置１Ｂによれば、第２ケース部７ｂの外周壁におけるアンテナ４に対向する側の外壁部７ｍは、第２ケース部７ｂが第１ケース部７ａに外嵌合された状態で、その上端面７ｎが、第１ケース部７ａの外周壁における同側の外壁部７ｓの上端面７ｐに対向し、その外側面７ｑが、第１ケース部７ａの外周壁における同側の外壁部の外側面７ｒに対して平坦になる様に形成されるので、即ち、第２ケース部７ｂにおけるアンテナ４側の外壁部７ｍが、第１ケース部７ａの同側の外周壁７ｓの外側に張り出さないので、その張り出さない分、アンテナ４と電磁シールドケース７との間隔を広く保つ事ができ、アンテナ性能の劣化をより低減できる。
【００３３】
＜実施の形態３＞
上記の実施の形態１では、電磁シールドケース７を第１および第２ケース部７ａ，７ｂにより分割構成し、それら第１および第２ケース部７ａ，７ｂによりカメラモジュール（所定の回路体）５の全体をシールドしたが、この実施の形態３の電磁シールドケース８は、図５の様に、金属素材により一面（ここでは上面）開放の箱状に形成され、その内部（収容凹部）８ａにカメラモジュール５におけるノイズ放射源となる回路部品５ｂを収容し、その開放面をカメラモジュール５の回路基板５ａで閉塞する様にしたものである。
【００３４】
またこの実施の形態３では、図５の様に、カメラモジュール５は、回路基板５ａを有し、その回路基板５ａの一方主面上にノイズ放射源となる回路部品５ｂが集約され、その回路基板５ａの他方主面上にレンズ部や撮像素子等５ｃが配設されて構成されている。そして、回路基板５ａの他方主面上に配設されたレンズ部や撮像素子等５ｃを露出して、回路基板５ａの一方主面側だけに、回路部品５ｂが電磁シールドケース８の収容凹部８ａ内に収容される様にして電磁シールドケース８が配設されている。即ち、電磁シールドケース８と回路基板５ａとにより回路部品５ｂが電磁シールドされる様になっている。
【００３５】
またこの実施の形態３では、アンテナ４は、カメラモジュール５の側方における回路基板５ａの他方主面側（電磁シールドケース８が無い側）に配置される。
【００３６】
以上の様に構成された携帯端末装置１Ｃによれば、電磁シールドケース８は収容凹部８ａを有し、カメラモジュール５は、回路基板５ａの一方主面上にノイズ放射源となる回路部品５ｂが集約されて構成され、回路基板５ａは、その一方主面側だけに、回路部品５ｂが電磁シールドケース８の収容凹部８ａ内に収容される様にして電磁シールドケース８が配設されるので、即ち、電磁シールドケース８は分割構成ではないので、従来の様な接点構造を設ける必要が無く、電磁シールド性能を安定化できる。
【００３７】
またアンテナ４を回路基板５ａの他方主面側（電磁シールドケース８が無い側）に配置することで、アンテナ４と電磁シールドケース８との間隔をより広く保つ事ができ、アンテナ性能の劣化をより低減できる。よって、小スペースでアンテナ性能と電磁シールド性能とを両立できる。
【図面の簡単な説明】
【００３８】
【図１】実施の形態１に係る携帯端末装置１の構成概略図である。
【図２】実施の形態１における筐体内での電磁シールドケースおよびアンテナの配置関係を示した図、且つ電磁シールドケースの断面の概略を示した図である。
【図３】実施の形態２における電磁シールドケースの接点構造の形成場所を説明する図である。
【図４】実施の形態２における筐体内での電磁シールドケースおよびアンテナの配置関係を示す図、且つ電磁シールドケースの断面の概略を示した図である。
【図５】実施の形態３における筐体内での電磁シールドケース、カメラモジュールおよびアンテナの配置関係を示した図、且つ電磁シールドケースの断面の概略を示した図である。
【符号の説明】
【００３９】
１  携帯端末装置、３  筐体、４  アンテナ、５  カメラモジュール、５ａ  回路基板、５ｂ  回路部品、７  電磁シールドケース、７ａ  第１ケース部、７ｂ  第２ケース部、７ｃ  第１ケース部の外周側面、７ｄ  凸部、７ｅ  第２ケース部の内周側面、７ｆ  孔部、７ｇ  凸部の外周側面、７ｍ  第２ケース部の外壁部、７ｎ  第２ケース部の上端面、７ｐ  第１ケース部の上端面、７ｑ  第２ケース部の外側面、７ｒ  第１ケース部の外側面、７ｓ  孔部の内周側面、８  電磁シールドケース、８ａ  収容凹部。
【図１】
2008010523.tif 000003
【図２】
2008010523.tif 000004
【図３】
2008010523.tif 000005
【図４】
2008010523.tif 000006
【図５】
2008010523.tif 000007